(57)【要約】【目的】  簡単に各地域に対応したチャンネル設定が行える移動体用ディジタル放送受信装置を提供する。【構成】  ＦｌａｓｈＲＯＭ２１８には、各地域に対応したチャンネルリストが保持される。チャンネルリストは、各地域名ごとに各ポジション（例えば、１〜１２）に対してどの物理チャンネルが割り当てられているかを示したリストである。ユーザによって放送地域設定のための操作がなされたとき、放送地域設定処理が開始される。この処理では、ＣＰＵ２０９は、ＦｌａｓｈＲＯＭ２１８のチャンネルリストを読み出し、例えば、北の地域から順に５つの地域名をＬＣＤパネル２０２に表示する。ＣＰＵ２０９は、選択された地域名におけるチャンネルリストに基づき、各ポジションに物理チャンネルを割り当てる処理を行う。【選択図】      図１
2005333324.tif 000002
【特許請求の範囲】
【請求項１】
各地域に対応したチャンネルリストを保持する記憶手段と、複数の地域名を同時に又は一つずつ表示してユーザによる地域選択を促す手段と、選択された地域のチャンネルリストに基づいて各ポジションに物理チャンネルを割り当てる手段と、を備えたことを特徴とする移動体用ディジタル放送受信装置。
【請求項２】
請求項１に記載の移動体用ディジタル放送受信装置において、現在選局中の放送が受信不能となったときに、地域名を表示してユーザによる地域選択を促すように構成されたことを特徴とする移動体用ディジタル放送受信装置。
【請求項３】
請求項１に記載の移動体用ディジタル放送受信装置において、ユーザによる地域名表示操作が行われたときに、地域名を表示してユーザによる地域選択を促すように構成されたことを特徴とする移動体用ディジタル放送受信装置。
【請求項４】
請求項１乃至請求項３のいずれかに記載の移動体用ディジタル放送受信装置において、現在選択されている地域に対して所定範囲内の近傍地域を判断する手段を備え、地域名を表示する場合に前記近傍地域と判断された地域名を優先して表示することを特徴とする移動体用ディジタル放送受信装置。
【発明の詳細な説明】
【技術分野】
【０００１】
この発明は、移動体用ディジタル放送受信装置に関する。
【背景技術】
【０００２】
地上波ディジタル放送はアナログ地上波にみられるように各地に配置された複数の放送局によって放送を行うことを予定しており、衛星ディジタル放送のような一元放送とはならない。すなわち、地上波ディジタル放送においても、アナログ方式と同様に放送周波数配置は各放送局によって異なることになる。このため、移動体用ディジタル放送受信装置が自動車等の移動体に搭載されて移動しながら放送波を受信する場合、受信可能な放送は次々に変化すると共に受信地域が重複している場合などにおいて受信状態が安定しない場合が多くなると予想され、このために幾つかの提案がなされている（特許文献１，特許文献２，特許文献３参照）。
【特許文献１】特開平１０−３００４８５号公報
【特許文献２】特開平２００１−１６９１９５号公報
【特許文献３】特開平２００４−６４５９０号公報
【発明の開示】
【発明が解決しようとする課題】
【０００３】
しかしながら、上記従来の技術では、ＧＰＳによる位置検出手段を備えるものであったり、チューナを二つ備えるなど、装置が割高になり、制御も複雑化するという欠点がある。
【０００４】
この発明は、上記の事情に鑑み、簡単に各地域に対応したチャンネル設定が行える移動体用ディジタル放送受信装置を提供することを目的とする。
【課題を解決するための手段】
【０００５】
この発明の移動体用ディジタル放送受信装置は、上記課題を解決するために、各地域に対応したチャンネルリストを保持する記憶手段と、複数の地域名を同時に又は一つずつ表示してユーザによる地域選択を促す手段と、選択された地域のチャンネルリストに基づいて各ポジションに物理チャンネルを割り当てる手段と、を備えたことを特徴とする。
【０００６】
上記の構成において、各地域に対応したチャンネルリストを保持しており、ユーザ操作で地域名を選択することで簡単に各地域に対応したチャンネル設定が行えることになる。
【０００７】
上記構成の移動体用ディジタル放送受信装置において、現在選局中の放送が受信不能となったときに、地域名を表示してユーザによる地域選択を促すように構成されていてもよい。また、ユーザによる地域名表示操作が行われたときに、地域名を表示してユーザによる地域選択を促すように構成されていてもよい。
【０００８】
これら構成の移動体用ディジタル放送受信装置において、現在選択されている地域に対して所定範囲内の近傍地域を判断する手段を備え、地域名を表示する場合に前記近傍地域と判断された地域名を優先して表示することとしてもよい。
【発明の効果】
【０００９】
この発明によれば、各地域に対応したチャンネルリストを保持しており、ユーザ操作で地域名を選択することで簡単に各地域に対応したチャンネル設定が行えるという効果を奏する。
【発明を実施するための最良の形態】
【００１０】
以下、この発明の実施形態を図１乃至図５に基づいて説明する。
【００１１】
図１はこの実施形態の車載型受信端末を示したブロック図であり、図２はその外観を示した正面図であり、図３は各地域に対応したチャンネルリストを示した説明図であり、図４及び図５は処理内容を示したフローチャートである。
【００１２】
車載型受信端末２は、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をスピーカ２０３から出力するようになっている。なお，この実施形態では符号化映像・音声データはＭＰＥＧ４データであるとする。
【００１３】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上波ディジタルチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。
【００１４】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、メニュー画面、地域名選択画面等）を液晶表示パネル２０２に表示するＯＳＤ（オンスクリーンディスプレイ）処理も行う。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１５】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してスピーカ２０３に与える。
【００１６】
本体キー２１４は操作ボタン、十字キー（方向キー）、テンキー等である。この本体キー２１４に対する操作情報は、インターフェイス２１５、及びシステムバス２１３を介してＣＰＵ２０９に与えられる。なお、キーとしてタッチパネルを備えてもよい。ＣＰＵ２０９は上記操作情報に基づいて必要な処理を実行する。
【００１７】
また、ＦｌａｓｈＲＯＭ２１８やＳＤＲＡＭ２１９も備える。ＦｌａｓｈＲＯＭ２１８には、各地域に対応したチャンネルリストが保持される。チャンネルリストは、図３に示しているように、各地域名ごとに各ポジション（例えば、１〜１２）に対してどの物理チャンネルが割り当てられているかを示したリストである。このチャンネルリストは、例えば、当該装置の出荷段階においてメーカー側で格納される。電池２２１は車載二次電池である。
【００１８】
ＣＰＵ２０９は、スロット２０１に装填されたＰＨＳデータカード４によるデータ送受信（インターネット接続処理、電子メール送受信など）、受信データに基づく各機能部の制御、ＦｌａｓｈＲＯＭ２１８やＳＤＲＡＭ２１９のリード／ライト制御なども行うようになっている。インターネット接続処理により、例えば、最新のチャンネルリストを提供しているサイトに接続することができ、当該サイトに接続して最新のチャンネルリストをダウンロードし、前記ＦｌａｓｈＲＯＭ２１８に格納することもできる。勿論、ディジタル放送受信によって最新のチャンネルリストを取得することも可能である。また、現在地に対応する地域名を選択した状態でチャンネルスキャンを行うことにより、当該地域名についてのチャンネルリストを更新することもできる。
【００１９】
図４のフローチャートに示すように、例えば、当該装置の購入当初の電源ＯＮ時、或いは、ユーザによって放送地域設定のための操作がなされたとき、放送地域設定処理が開始される（ステップＳ１）。この処理では、ＣＰＵ２０９は、ＦｌａｓｈＲＯＭ２１８のチャンネルリストを読み出し（ステップＳ２）、例えば、北の地域から順に５つの地域名をＬＣＤパネル２０２に表示する（ステップＳ３）。勿論、いきなり地域名を選択させるのではなく、大エリア（近畿地方、東海地方等）を選択させた後に、その大エリア内の地域名を表示することとしてもよい。ユーザによる十字キー（矢印キー）の操作によって表示される地域名はスクロールされ、次々と新たな地域名が現れる。ユーザは現在地に対応した地域名がカーソル位置（色変わり位置）に位置したときに十字キー操作を止めて決定キーを押下する（ステップＳ４）。ＣＰＵ２０９は、上記決定キーが押下されたところの地域名と共に、図２に示しているごとく、「選択地域設定」といった文字をＬＣＤパネル２０２に暫くの間表示する（ステップＳ５）。そして、前記決定地域名におけるチャンネルリストに基づき、各ポジションに物理チャンネルを割り当てる処理を行う（ステップＳ６）。
【００２０】
上記設定の後の電源ＯＮ時には、ステップＳ６で設定されたポジショニングに基づいて例えばラストチャンネルの選局を行う（ステップＳ１１，１２）。そして、放送受信可能かどうかの判断を行う（ステップＳ１３）。放送受信ができない場合には、エラー表示を行う（ステップＳ１７）。一方、放送を受信できたときには、映像音声の出力処理を行う（ステップＳ１４，１５，１６）。
【００２１】
放送受信ができない場合、或いは、今まで放送が受信できていたのに放送を受信できなくなった場合に、前述のエラー表示を行うだけでなく、「放送地域を選択して下さい」といったメッセージと共に地域選択のための地域名表示処理を行うようにしてもよい。この場合、現在選択している地域名を中心にした状態（前述のカーソル上に現在選択地域を位置させた状態）で複数の地域名を北から順番通りに表示すればよい。また、例えば、各地域名について北から順に「１，２，３，…，」のごとく番号を付記しておき、現在地域名の番号との番号差が±１の範囲の地域名をリストアップして提示し、ユーザによって「次」を示すキーが操作されたときに現在地域名との番号差が±２の範囲の地域名をリストアップして提示するといった処理を行うようにしてもよい。
【００２２】
また、この実施形態では移動体用ディジタル放送受信装置を車載型受信端末２として示したが、携帯型受信端末として構成することもできる。
【図面の簡単な説明】
【００２３】
【図１】この発明の実施形態の車載型端末（移動体用ディジタル放送受信装置）の構成を示したブロック図である。
【図２】この発明の実施形態の車載型端末（移動体用ディジタル放送受信装置）の外観を示した正面図である。
【図３】各地域に対応したチャンネルリストを示した説明図である。
【図４】処理内容を示したフローチャートである。
【図５】処理内容を示したフローチャートである。
【符号の説明】
【００２４】
２      車載型受信端末
２０２  ＬＣＤパネル
２０５  グラフィックスコントローラ
２０７  ＬＣＤコントローラ
２０９  ＣＰＵ
２３０  地上波ディジタルチューナ
【図１】
2005333324.tif 000003
【図２】
2005333324.tif 000004
【図３】
2005333324.tif 000005
【図４】
2005333324.tif 000006
【図５】
2005333324.tif 000007